(57)【要約】【課題】照明器具が備えられた夜間のゴルフ練習場において、照明器具から照射される光を反射し、グリーンやバンカー等の目標物の視認性を向上させることができるゴルフ練習場用の反射器具を提供する。【解決手段】本発明に係る反射器具１０は、中空の透明な第１のチューブ１と、第１のチューブ１内に配置された棒材２と、第１のチューブ１及び棒材２間に介装された、光を反射する反射性の部材３とを備え、ゴルフ練習場のグランドの目標物の周囲に設置される。反射性の部材３は、再帰性反射素材で形成されている。反射器具１０は、第１のチューブ１の周囲に、ら旋状に巻回された金属製の巻線４をさらに備えることができる。【選択図】図１
2009247602.tif 000002
【特許請求の範囲】
【請求項１】
中空の透明な第１のチューブと、
前記第１のチューブ内に配置されて、光を反射する反射性の部材とを備え、ゴルフ練習場のグランドの目標物の周囲に設置される反射器具。
【請求項２】
中空の透明な第１のチューブと、
前記第１のチューブ内に配置された棒材と、
前記第１のチューブ及び前記棒材間に介装された、光を反射する反射性の部材とを備え、ゴルフ練習場のグランドの目標物の周囲に設置される反射器具。
【請求項３】
前記反射性の部材が、再帰性反射素材で形成されている請求項１又は２に記載された反射器具。
【請求項４】
前記第１のチューブの周囲に、ら旋状に巻回された金属製の巻線をさらに備える請求項１〜３の何れか１項に記載された反射器具。
【請求項５】
前記巻線が、複数の小巻線を備える請求項４に記載された反射器具。
【発明の詳細な説明】
【技術分野】
【０００１】
本発明はゴルフ練習場用の反射器具に関し、より詳細には、照明器具が備えられた夜間のゴルフ練習場において、照明器具から照射される光を反射し、グリーンやバンカー等の目標物の視認性を向上させることができる反射器具に関する。
【背景技術】
【０００２】
一般に、ゴルフ練習場には、実際のコースを再現するために、グリーン、バンカー、およびウォーターハザード等の目標物が形成されている。形成されたグリーンを目標として、利用者は打席からグランドに向けてゴルフボールを打ち放ち、実際のコースをイメージした練習を行うことができる。特に、夜間においては目標物の視認性が低下するため、通常、ゴルフ練習場には、目標物を照らし出すための照明装置が備えられている。
【０００３】
下記特許文献１には、ゴルフ練習場の照明装置が開示されている。この照明装置によると、第二発光手段（発光ランプ）が、蛍光塗料が含浸されたグリーンの表面に紫外線を照射するので、蛍光塗料に含まれている蛍光物質が紫外線によって励起され、グリーン自体を光らせることができる。
【特許文献１】特開２００２−２８２７４号公報
【発明の開示】
【発明が解決しようとする課題】
【０００４】
しかしながら、上記特許文献１に記載された照明装置では、グリーン自体を光らせることができるが、紫外線を照射するための第二発光手段（発光ランプ）を、フィールドの段部に埋設する必要があるので、高額な費用がかかる。また、グリーンやバンカー等の目標物の配置パターンを変更する度に、第二発光手段の配置を変更する必要があるので、改修に掛かる費用が増大するという問題がある。
【０００５】
また、上記特許文献１に記載された照明装置では、グリーン、もしくはグリーン上に設けられたフラッグを光らせることができるが、例えばバンカーやウォーターハザード等といった、蛍光塗料を含浸できない他の目標物を光らせることはできない。
【０００６】
本発明は、上記課題を解決するためになされたものであり、その目的は、照明器具が備えられた夜間のゴルフ練習場において、照明器具から照射される光を反射し、グリーンやバンカー等の目標物の視認性を向上させることができるゴルフ練習場用の反射器具を提供することにある。
【課題を解決するための手段】
【０００７】
上記目的を達成するために、本発明に係る反射器具（１）は、中空の透明な第１のチューブと、前記第１のチューブ内に配置されて、光を反射する反射性の部材とを備え、ゴルフ練習場のグランドの目標物の周囲に設置される。
【０００８】
また、本発明に係る反射器具（２）は、中空の透明な第１のチューブと、前記第１のチューブ内に配置された棒材と、前記第１のチューブ及び前記棒材間に介装された、光を反射する反射性の部材とを備え、ゴルフ練習場のグランドの目標物の周囲に配置される。
【０００９】
また、本発明に係る反射器具（３）は、上記反射器具（１）又は（２）において、前記反射性の部材が、再帰性反射素材で形成されていることができる。
【００１０】
また、本発明に係る反射器具（４）は、上記反射器具（１）〜（３）において、前記第１のチューブの周囲に、ら旋状に巻回された金属製の巻線をさらに備えることができる。
【００１１】
また、本発明に係る反射器具（５）は、上記反射器具（４）において、前記巻線が、複数の小巻線を備えることができる。
【発明の効果】
【００１２】
本発明によると、照明器具が備えられたゴルフ練習場において、夜間に、目標であるグリーンの視認性を向上させることができる。
【００１３】
また、既にゴルフ練習場に設置されている照明装置をそのまま使用することができ、且つ、フィールドの大掛かりな造成工事を伴わないので、ゴルフ練習場の改修に掛かる費用を安価にすることができる。
【００１４】
また、バンカーやウォーターハザードといった、グリーン以外の他の目標物の視認性を向上させることができる。
【００１５】
また、ヤード表示板といった、ゴルフ練習場内に設置された目標物以外の設備の視認性を向上させることができる。
【発明を実施するための最良の形態】
【００１６】
以下、本発明の実施の形態を、添付の図面を参照して詳細に説明する。
【００１７】
図１は、本発明の実施の形態に係る反射器具の構成を示す概観図である。図１において、（ａ）は斜視図であり、（ｂ）は（ａ）に示す斜視図のＡ方向から見た断面図である。
【００１８】
図１に示すように、本発明に係る反射器具１０は、中空の透明な第１のチューブ１と、第１のチューブ内に配置された、中空の第２のチューブ２と、第１のチューブ及び第２のチューブの間に介装されて、光を反射する反射材３と、第１のチューブ１の周囲にら旋状に巻回された金属製の巻線４とを備える。
【００１９】
第１のチューブ１及び第２のチューブ２は、円筒形状の中空のチューブであり、可撓性の素材で形成されている。特に、第１のチューブ１は、反射材３を保護するためのものであり、反射材３まで光を透過させるために、透明な素材で形成されている。また、第２のチューブ２は、反射材３を保持するためのものであり、第１のチューブ１及び第２のチューブ２の口径はそれぞれ、これら第１のチューブ１及び第２のチューブ２の間に反射材３を介装できるように決定されている。第１のチューブ１及び第２のチューブ２には、例えば透明なビニールホースを使用する。
【００２０】
反射材３は、後述する照明装置から照射される光を反射する。反射材３には、例えば再帰性反射シートであるユニチカスパークライト（ユニチカ株式会社製）を使用する。再帰性反射シートとは、焦点位置が正確に球面上に一致するように調整された微少なガラスビーズが基布上に接着されたシートであり、再帰性反射シートは、再帰性反射シートに照射された光が、光源（即ち照明装置）に向かって効率よく反射されるという特徴を有する。本実施形態では、反射材３は、この再帰性反射シートの光を反射する側の表面が外側になるように丸められて、第１のチューブ１及び第２のチューブ２の間に介装されている。目標物がグリーンである場合、グリーンと同じ緑系統の基布上にガラスビーズが接着された再帰性反射シートを用いるのが好ましい。
【００２１】
巻線４は、例えばステンレス等の金属線がら旋状に巻回されて形成されている。ゴルフボールの衝突によって生じる衝撃に耐えられるように、巻線４は金属製である。また、巻線４は、金属線が所定の巻線間隔（ピッチ）でら旋状に曲げられて形成されているので、反射材３まで容易に光を透過させることができ、また、容易に曲げられて配置されることができる。
【００２２】
反射器具１０は、固定具５およびアンカーボルト（又は釘状のもの）６により、例えばグリーン等の目標物の周囲に曲げられて固定される。反射器具１０は、例えば１０〜３０ｃｍの所定の長さＬで形成される。第１のチューブ１の外側に配置される巻線４は金属製であるので、第１のチューブ１及び第２のチューブ２ほどの柔軟性を有さない。そのため、巻線４は、反射器具１０全体の長さＬよりも短い、例えば５〜１０ｃｍの所定の長さＬｃを有する複数個の小巻線で構成されている。１つの反射器具１０において巻線４が複数個の小巻線で構成されているので、巻線４は可撓性を有し、第１のチューブ１及び第２のチューブ２に沿って、これら第１のチューブ１及び第２のチューブ２と共に、略同じ曲率で曲げられることができる。
【００２３】
図２は、本発明の実施の形態に係る反射器具が配置されたゴルフ練習場の概観図である。図２に示すように、反射器具１０は、目標物であるグリーン２１の周囲に、例えば１０〜２０ｃｍの所定の間隔を空けて略等間隔に配置され、固定具５およびアンカーボルト６によりグランドに固定される。ゴルフ練習場には、ゴルフ練習場のグランドを照らすための照明装置２２が、通常、打席の上方に配置されている。夜間には、照明装置２２が点灯し、照明装置２２から照射される光を反射器具１０が反射することにより、グリーン２１の視認性が向上する。本実施形態では、第１のチューブ１及び第２のチューブ２が円筒形状に形成されているので、照明装置２２から照射されて、第１のチューブ１の側壁を通じて反射材３に入射する光は、どのような入射角であっても良好に反射されることができる。図２に示すように、本実施の形態では、反射器具１０は、グリーン以外の目標物であるバンカー２３およびウォーターハザード２４の周囲にも配置されている。
【００２４】
以上、本発明の実施形態について説明してきたが、本発明は上記の構成に限定されるものではない。
【００２５】
図３は、本発明の実施の形態に係る反射器具の他の配置態様を説明するための図である。
【００２６】
上記した実施の形態では、反射器具１０は、図３の（ａ）に示すように、例えばグリーン２１等の目標物の周囲に、所定の間隔を空けて略等間隔に配置されているが、図３の（ｂ）に示すように、目標物の周囲に間隔を空けずに連続して配置されてもよい。また、上記した実施の形態では、反射器具１０は、図３の（ｃ）に示すように、例えばウォーターハザード２４等の目標物の周囲に配置されているが、図３の（ｄ）および（ｅ）に示すように、目標物とグランドとの境界線上に、あるいは目標物とグランドとの境界線の内側に配置されてもよい。反射器具１０を配置する際には、打席から打ったゴルフボールの転がりを妨げないように、例えば、台形に造成されたグリーンの、天板とグランドとの間の側壁に、反射器具１０が配置されるのが好ましい。
【００２７】
図４は、本発明の実施の形態に係る反射器具を固定する際に使用する固定具の他の態様を説明するための図である。
【００２８】
上記では、反射器具１０は、ゴルフボールの衝突によって生じる衝撃に耐えられるように、金属製の巻線４を備え、固定具５およびアンカーボルト６によりグランドに固定されているが、図４の（ａ）に示すように、巻線４を有さない第１のチューブ１と、第２のチューブ２と、反射材３とを備える別の反射器具１０ａが、コの字状の固定具５ａおよびアンカーボルト６により、グランドに固定されてもよい。コの字状の固定具５ａは、例えばステンレス等の金属製のアングルであり、長手方向に沿って反射器具１０ａの側壁の一部を覆う。また、反射器具１０ａは、上部ねじ６ａによりその位置が固定される。あるいは、図４の（ｂ）に示すように、反射器具１０ａが、パイプ状の固定具５ｂおよびアンカーボルト６により、グランドに固定されてもよい。パイプ状の固定具５ｂは、例えばステンレス等の金属製のパイプであり、長手方向に沿って外壁の一部が切除されている。反射器具１０ａは、パイプ状の固定具５ｂ内に配置される。即ち、コの字状の固定具５ａおよびパイプ状の固定具５ｂは、ゴルフボールの衝突によって生じる衝撃から反射器具１０ａを保護する役割と、反射器具１０ａが直射日光にさらされて耐久性が低下するのを防止する役割とを有する。コの字状の固定具５ａが反射器具１０ａの側壁の一部を覆う程度、および、パイプ状の固定具５ｂの外壁の一部が切除される程度は、耐久性と照明光の反射効率とを考慮して適宜設計すればよい。
【００２９】
また、上記では、ゴルフボールの衝突によって生じる衝撃に耐えられるように、第１のチューブ１の外側を金属製の巻線４で覆っているが、さらに、巻線４の外側を保護用の第３のチューブで覆ってもよい。反射材３まで光を透過させるために、第３のチューブは透明な素材で形成される。第３のチューブには、例えば透明なビニールホースを使用する。金属製の巻線４の周囲をさらにビニール製の第３のチューブで覆うことで、ゴルフボールが過度に跳ね返るのを防止することができる。また、巻線４に代えて、第３のチューブで第１のチューブ１の外側を直接覆ってもよい。
【００３０】
また、上記では、第１のチューブ１及び第２のチューブ２は円筒形状に形成されているが、第１のチューブ１及び第２のチューブ２は、円筒形状以外の、例えば角形の筒状に形成されていてもよい。
【００３１】
また、上記では、第１のチューブ１及び第２のチューブ２が共に中空に形成されているが、第２のチューブ２と反射材３とを内側に備える第１のチューブ１のみが中空であればよく、第２のチューブ２は中実（即ち、可撓性の素材で形成された棒材）であってもよい。
【００３２】
また、上記では、反射材３は再帰性反射シートで形成され、再帰性反射シートの光を反射する側の表面が外側になるように丸められて配置されているが、丸められた反射材３の復元力を利用することで、反射材３が第１のチューブ１の内側に密着して保持されてもよい。この場合、反射材３を保持するための第２のチューブ２は不要となる。
【００３３】
また、上記では、反射材３は再帰性反射シートで形成され、再帰性反射シートの光を反射する側の表面が外側になるように丸められて配置されているが、反射材３は、光を効率よく反射することができればよく、例えば、再帰性反射シートで形成された反射材３に代えて、再帰性反射シートで用いられているものと同じガラスビーズを、第１のチューブ１の内側壁に接着してもよい。この場合、反射材３を保持するための第２のチューブ２は不要となる。
【００３４】
また、上記では、反射材３には、目標物のグリーン２１と同じ緑色系のものが使用されているが、反射材３の色は、目標物の種類に応じて適宜変更すればよい。例えば、バンカー２３の砂地上に配置する場合には、バンカー２３の色に合わせた黄色系のもの、あるいは、注意を促す意味の赤色系のものが使用されてもよい。同様に、ウォーターハザード２４の水中に配置する場合には、水中での色彩の変化を考慮して、例えば青色系のものが使用されてもよい。また、透明な第１のチューブ１又は第３のチューブ３の色調を変更することで、反射する光の色調を調節してもよい。例えば、第１のチューブ１に、青みがかった透明なビニールホースを使用することで、反射器具１０，１０ａは、青みがかった光を反射することができる。
【００３５】
また、上記では、反射器具１０，１０ａは、グリーン、バンカー、およびウォーターハザード等の目標物の周囲に配置されているが、反射器具１０，１０ａは、例えばヤード表示板といった、ゴルフ練習場内に設置された目標物以外の設備の周囲に配置されてもよい。
【図面の簡単な説明】
【００３６】
【図１】本発明の実施の形態に係る反射器具の構成を示す概観図である。
【図２】本発明の実施の形態に係る反射器具が配置されたゴルフ練習場の概観図である。
【図３】本発明の実施の形態に係る反射器具の他の配置態様を説明するための図である。
【図４】本発明の実施の形態に係る反射器具を固定する際に使用する固定具の他の態様を説明するための図である。
【符号の説明】
【００３７】
１    第１のチューブ
２    第２のチューブ
３    反射材
４    巻線
５    固定具
６    アンカーボルト
１０    反射器具
２１    グリーン
２２    照明装置
２３    バンカー
２４    ウォーターハザード
５ａ    コの字状の固定具
５ｂ    パイプ状の固定具
６ａ    上部ねじ
１０ａ    別の反射器具
【図１】
2009247602.tif 000003
【図２】
2009247602.tif 000004
【図３】
2009247602.tif 000005
【図４】
2009247602.tif 000006